(57)【要約】【課題】  ファンを外部に露出することなく、省スペースかつ効率的な冷却をすることを可能にしたカメラハウジングを提供すること。【解決手段】  撮像装置を収容する筐体と、少なくとも一部において前記筐体との間に空隙を有するように前記筐体を覆うサンシェードと、前記サンシェードに前記空隙と前記サンシェードの外部とを通気する開口部を備え、前記空隙に、少なくとも一方向の前記開口に通風する断面積が一定でない流路が設けられ、前記空隙に通風手段が設けられていることを特徴とする。【選択図】  図１
2020122885.tif 000002
【特許請求の範囲】
【請求項１】
撮像装置を収容する筐体と、
少なくとも一部において前記筐体との間に空隙を有するように前記筐体を覆うサンシェードと、
前記サンシェードに前記空隙と前記サンシェードの外部とを通気する開口部を備え、
前記空隙に、少なくとも一方向の前記開口に通風する断面積が一定でない流路が設けられ、
前記空隙に通風手段が設けられていることを特徴とするカメラハウジング。
【請求項２】
前記流路の断面積が大きい少なくとも一箇所に通風手段が設けられていることを特徴とする請求項１に記載のカメラハウジング。
【請求項３】
前記流路の断面積が小さい少なくとも一箇所に放熱手段が設けられていることを特徴とする請求項１又は請求項２に記載のカメラハウジング。
【請求項４】
前記流路を形成する壁部材が設けられていることを特徴とする請求項１乃至請求項３の何れか一項に記載のカメラハウジング。
【請求項５】
前記壁部材が前記流路の断面積を変化させていることを特徴とする請求項１乃至請求項４の何れか一項に記載のカメラハウジング。
【請求項６】
前記撮像装置と前記放熱手段が熱伝導の高い部材で接続されていることを特徴とする請求項１乃至請求項５の何れか一項に記載のカメラハウジング。
【請求項７】
前記通風手段は防水ファンであることを特徴とする請求項１乃至請求項６の何れか一項に記載のカメラハウジング。
【請求項８】
前記筐体と前記サンシェードが熱伝導の低い部材で接続されていることを特徴とする請求項１乃至請求項７の何れか一項に記載のカメラハウジング。
【発明の詳細な説明】
【技術分野】
【０００１】
本発明は、カメラ装置等を収納するカメラハウジングに関し、特にサンシェードを有するカメラハウジングに関する。
【背景技術】
【０００２】
屋外に設置し、周囲の状況を撮影する雲台装置のカメラハウジングは、内部電子機器により発生する熱や外部からの直射日光により、内部は非常に高温になる。そこで、カメラハウジング内部の熱を外気に放出するための技術が提案されている。
【０００３】
特許文献には、筐体及びそのラジエータ部の寸法を大きくすることなく、効果的に放熱できる小型で軽量な屋外設置される密閉型通信機器について開示されている。特許文献２には、風向きに因らず効率的な通風ができる屋外設置される密閉型通信機器について開示されている。
【先行技術文献】
【特許文献】
【０００４】
【特許文献１】特開２０００−３４９４８５号公報
【特許文献２】特開２００８−２４４１３１号公報
【発明の概要】
【発明が解決しようとする課題】
【０００５】
しかしながら、上記の特許文献１に開示された従来技術では、ファンが直接外部に露出してしまい、紫外線による劣化や飛来物による破損の可能性がある。また特許文献２において、省スペースにするためにはファンが小型化し最適な風量を得ることが難しい。ファンを大型化すると機器自体も大型になってしまうという課題が考えられる。
【０００６】
そこで、本発明の目的は、ファンを外部に露出することなく、省スペースかつ効率的な冷却をすることを可能にしたカメラハウジングを提供することにある。
【課題を解決するための手段】
【０００７】
上記の目的を達成するために、本発明に係るカメラハウジングは、
撮像装置を収容する筐体と、少なくとも一部において前記筐体との間に空隙を有するように前記筐体を覆うサンシェードと、前記サンシェードに前記空隙と前記サンシェードの外部とを通気する開口部を備え、前記空隙に、少なくとも一方向の前記開口に通風する断面積が一定でない流路が設けられ、前記空隙に通風手段が設けられていることを特徴とする。
【発明の効果】
【０００８】
本発明によれば、省スペースかつ効率的な冷却をすることを可能にしたカメラハウジングの提供を実現できる。
【図面の簡単な説明】
【０００９】
【図１】雲台撮影装置１を側面方向から見た概略構成図
【図２】実施例１のカメラハウジング２の斜視図
【図３】実施例１のカメラハウジング２の側面から見た断面図
【図４】実施例１の変形例のカメラハウジング２の斜視図
【図５】実施例２のカメラハウジング２の斜視図
【図６】実施例２のカメラハウジング２のＡ面断面図
【図７】実施例３のカメラハウジング２の斜視図
【図８】実施例３のカメラハウジング２の側面から見た断面図
【発明を実施するための形態】
【００１０】
以下、本発明を実施するための形態について、図面を参照しながら詳細に説明する。
【実施例１】
【００１１】
以下、図１、図２、図３を参照して、本発明の第１の実施例による、省スペースかつ効率的な冷却をすることを可能にしたカメラハウジングについて説明する。
【００１２】
図１は、本発明の実施形態に係る、雲台撮影装置１を側面方向から見た概略構成図である。本発明のカメラハウジング２の斜視図が図２である。
【００１３】
雲台撮影装置１はカメラハウジング２、ヘッド３、ベース４より構成される。ヘッド３は、カメラハウジング２がヘッド３に対して回転することでチルティングを行うチルティング駆動部を備え、ヘッド３がベース４に対して回転することでパンニングを行うパンニング駆動部を備える。カメラハウジング２はハウジング筐体１０２とサンシェード１０８、保護ガラス６によって構成されている。ハウジング筐体１０２内には撮像装置５がカメラ台７に固定されて収容され、カメラ台７はハウジング筐体１０２に固定されている。撮像装置５はハウジング筐体１０２の前面に配置されている保護ガラス６を通して周囲を撮影する。
【００１４】
カメラハウジング２は、太陽光から照射される光によってハウジング筐体１０２の温度上昇を軽減するためのサンシェード１０８はハウジング筐体１０２を覆うように設けられている。サンシェード１０８は撮像装置５の光軸方向に前後開口している。尚、図２では構成が分かりやすいようサンシェード１０８を透過して表示している。サンシェード１０８は連結部材１５を介してハウジング筐体１０２に取り付けする。尚、連結部材１５は熱伝導率の低い素材でできていることが望ましい。サンシェード１０８とハウジング筐体１０２の間に送風手段１０と熱交換部材１２を備える。サンシェード１０８とハウジング筐体１０２の間に、送風手段１０から発生する風の流路を形成し、流路断面を狭くする壁部材１１１を備える。
【００１５】
本発明のカメラハウジング２の側面から見た断面図が図３である。また、サンシェード１０８とハウジング筐体１０２の間に、送風手段１０から流速を増した状態の風が通る流路イメージを矢印１１４で示す。尚、矢印１１４は逆方向でも本発明の効果を害することはない。撮像装置５はカメラ部５ａとレンズ部５ｂで構成されている。ハウジング筐体１０２には、カメラ部５ａよりもレンズ部５ｂが高さ方向に小さい点を利用した段差を設け、その段差を滑らかに接続している。サンシェード１０８とハウジング筐体１０２の間に形成される流路の断面積は、段差によって変化しており、断面積が大きい部分に送風手段１０が設けられ、断面積の小さい部分に熱交換部材１２が設けられている。また、カメラ部５ａは伝熱部材１３により熱交換部材１２と接続されている。伝熱部材１３は熱伝導率が高いものが望ましい。断面積が大きい部分で発生した風は断面積の小さくなるに従って流速を増す。
【００１６】
以上の構成により、撮像装置５で発生した熱は伝熱部材１３を介して熱交換部材１２に達する。そして、ハウジング筐体１０２の段差と壁部材１１１によって形成される流路によって、送風手段１０で発生した風は流速を増した状態で熱交換部材１２を通過し、熱交換部材１２の冷却を行う。一般的に流速が早ければ早いほど風と熱交換部材１２間の熱伝達率が上昇するため送風による冷却効率は向上する。
【００１７】
また、本発明ではレンズ部５ｂ上部の流路の断面積が大きい部分の隙間を利用して送風手段１０を配置した為、限られたスペースの中に大型の送風手段を設置することが可能である。そのため省スペース化を図りつつ効率的な撮像装置５の冷却が可能になっている。さらに、送風手段１０から送られる風は日射を直接受けるサンシェード１０８に対して相対的に温度が低いため、サンシェード１０８自体も冷却する効果を持っている。サンシェード１０８の温度が低下するとハウジング筐体１０２に伝わる熱量が小さくなりハウジング筐体１０２内部温度上昇を抑えることができるため、より効率的な撮像装置５の冷却を行うことができる。また、サンシェード１０８とハウジング筐体１０２の間に送風手段１０が設置されているため、送風手段１０が直接外部に露出することがないため、環境要因による破損などを制限することができる。
【００１８】
第一の実施例の変形としてカメラハウジング２の斜視図を図４に示す。
【００１９】
太陽光から照射される光によってハウジング筐体１０２の温度上昇を軽減するためのサンシェード１１８はハウジング筐体１０２を覆うように設ける。サンシェード１１８は後方と両側面に開口部を備える。サンシェード１１８とハウジング筐体１０２の間に送風手段１０を備え、送風手段１０がサンシェード１１８の両側面の開口部に接続する様、対向して設けられている。
【００２０】
カメラハウジング２は、サンシェード１１８とハウジング筐体１０２の間に、送風手段１０から発生する撮像装置５の光軸直角方向の風を光軸方向に向きを変え、後方へ導く壁部材１１５を備える。サンシェード１１８とハウジング筐体１０２の間に、送風手段１０から発生する風の流路を形成し、流路断面を狭くする壁部材１１１を備える。また、サンシェード１１８とハウジング筐体１０２の間に、送風手段１０から流速を増した状態の空気が通る流路中に熱交換部材１２を設ける。また、サンシェード１１８とハウジング筐体１０２の間に、送風手段１０から流入するイメージを矢印１１６、流速を増した状態の風が通る流路イメージを矢印１１７で示す。矢印１１６、矢印１１７は逆方向でも本発明の効果を害することはない。
【００２１】
以上の構成により、サンシェード１１８に設けられた側面の開口部によって十分な吸気ができ、カメラハウジング２前方に開口部を設けられない場合でも、実施例１で示した効率的な冷却を省スペースで行うことができる。
【実施例２】
【００２２】
以下、図５、図６を参照して、本発明の第２の実施例による、省スペースかつ効率的な冷却をすることを可能にした雲台撮影装置について説明する。
【００２３】
本発明のカメラハウジング２の斜視図が図５である。
【００２４】
太陽光から照射される光によってハウジング筐体２０２の温度上昇を軽減するためのサンシェード２０８はハウジング筐体２０２を覆うように設ける。尚、図５では構成が分かりやすいようサンシェード２０８を透過している。サンシェード２０８は連結部材１５を介してハウジング筐体２０２に取り付けする。サンシェード２０８は後方と側面にそれぞれ開口部を有している。また、サンシェード２０８とハウジング筐体２０２の間に送風手段１０を備え、送風手段１０が側面の開口部から後方の開口部への流路を形成している。サンシェード２０８とハウジング筐体２０２の間に、送風手段１０から発生する風の流路断面を狭くする壁部材２１１を備える。流路断面が狭くなることによって、送風手段１０で発生した風の流速は増す。また、サンシェード２０８とハウジング筐体２０２の間に、送風手段１０から流速を増した状態の空気が通る流路中に熱交換部材１２を設ける。また、サンシェード２０８とハウジング筐体２０２の間に、送風手段１０から流速を増した状態の空気が通る流路イメージを矢印２１４で示す。尚、矢印２１４は逆方向でも本発明の効果を害することはない。
【００２５】
本発明の雲台撮影装置１の図５中Ａ断面図が図６である。
【００２６】
撮像装置５はカメラ部５ａとレンズ部５ｂで構成されている。ハウジング筐体２０２はレンズ部５ｂの円筒に沿うよう斜面が設けられており、ハウジング筐体２０２のカメラ部５ａ上部の面に滑らかに接続されている。サンシェード２０８とハウジング筐体２０２の間に形成される流路の断面積は、斜面によって変化している。流路の断面積が大きい部分に送風手段１０が設けられており、断面積が小さい部分に熱交換部材１２が設けられている。また、カメラ部５ａは伝熱部材１３により熱交換部材１２と接続されている。
【００２７】
以上の構成により、撮像装置５で発生した熱は伝熱部材１３を介して熱交換部材１２に達する。そして、ハウジング筐体２０２の斜面と壁部材２１１によって形成される流路によって、送風手段１０で発生した風は流速を増した状態で熱交換部材１２を通過し、熱交換部材１２の冷却を行う。流速が早ければ早いほど風と熱交換部材１２の熱伝達率が上昇し、風による冷却効率は向上する。レンズ部５ｂ上部の斜面によって生まれる断面積の大きい部分の隙間を利用して送風手段１０を配置した為、限られたスペースの中に大型の送風手段を設置することが可能である。そのため省スペース化を図りつつ効率的な撮像装置５の冷却が可能になっている。さらに、送風手段１０から送られる風は日射を直接受けるサンシェード１０８に対して相対的に温度が低いため、サンシェード２０８自体も冷却する効果を持っている。サンシェード２０８の温度が低下するとハウジング筐体２０２に伝わる熱量が小さくなりハウジング筐体２０２内部温度上昇を抑えることができるため、より効率的な撮像装置５の冷却を行うことができる。また、サンシェード２０８とハウジング筐体２０２の間に送風手段１０が設置されているため、送風手段１０が直接外部に露出することがないため、環境要因による破損などを制限することができる。
【実施例３】
【００２８】
以下、図７、図８を参照して、本発明の第３の実施例による、省スペースかつ効率的な冷却をすることを可能にした雲台撮影装置について説明する。
【００２９】
本発明のカメラハウジング２の斜視図が図７である。
【００３０】
太陽光から照射される光によってハウジング筐体３０２の温度上昇を軽減するためのサンシェード３０８はハウジング筐体３０２を覆うように設ける。尚、図７では構成が分かりやすいようサンシェード３０８を透過している。サンシェード３０８は連結部材１５を介してハウジング筐体３０２に取り付けする。尚、連結部材１５は熱伝導率の低い素材でできていることが望ましい。サンシェード３０８は撮像装置５の光軸方向前部と光軸直角後部下向きに開口しており、サンシェード３０８とハウジング筐体３０２の間に送風手段１０を備え、送風手段１０が開口部を通して流路を形成している。サンシェード３０８とハウジング筐体３０２の間に、送風手段１０から発生する風の流路断面を狭くする壁部材３１１を備える。また、サンシェード３０８とハウジング筐体３０２の間に、送風手段１０から流速を増した状態の空気が通る流路中に熱交換部材１２を設ける。また、サンシェード３０８とハウジング筐体１０２の間に、送風手段１０から流速を増した状態の空気が通る流路イメージを矢印３１４で示す。尚、矢印３１４は逆方向でも本発明の効果を害することはない。
【００３１】
本発明の雲台撮影装置１の側面から見た断面図が図８である。
【００３２】
サンシェード３０８とハウジング筐体３０２の間に形成される流路の断面は、ハウジング筐体３０２上面と背面で変化している。断面積が大きいハウジング筐体３０２背面に送風手段１０が設けられている。熱交換部材１２とカメラ部５ａを接続する伝熱部材１３を備える。伝熱部材１３は熱伝導率が高いものが望ましい。
【００３３】
以上の構成により、撮像装置５で発生した熱は伝熱部材１３を介して熱交換部材１２に達する。そして、ハウジング筐体３０２の斜面と壁部材３１１によって形成される流路によって、送風手段１０で発生した風は流速を増した状態で熱交換部材１２を通過し、熱交換部材１２の冷却を行う。流速が早ければ早いほど風と熱交換部材１２の熱伝達率が上昇し、風による冷却効率は向上する。ハウジング筐体３０２背面を利用して大型の送風手段１０をカメラハウジング２の高さに制限がある場合でも配置でき、より効率的に撮像装置５の冷却に用いることができる。さらに、送風手段１０から風が流れることで高温のサンシェード３０８裏面に相対的に低温の空気が流れることで温度差が生じ、サンシェード３０８の温度低減効果は大きくなる。サンシェード３０８の温度が低下するとハウジング筐体３０２に伝わる熱量が小さくなりハウジング筐体３０２内部温度の低減が行え、より効率的な撮像装置５の冷却を行うことができる。また、サンシェード３０８とハウジング筐体３０２の間に送風手段１０が設置されているため、送風手段１０が直接外部に露出する可能性を低く抑えることができ、環境要因による破損などを防止することができる。
【００３４】
以上、本発明の好ましい実施形態について説明したが、本発明はこれらの実施形態に限定されず、その要旨の範囲内で種々の変形及び変更が可能である。
【符号の説明】
【００３５】
１  雲台撮影装置、２  カメラハウジング、３  ヘッド、４  ベース、
５  撮像装置、５ａ  カメラ部、５ｂ  レンズ部、６  保護ガラス、７  カメラ台、
１０  送風手段、１２  熱交換部材、１３  伝熱部材、１５  連結部材、
１０２  実施例１におけるハウジング筐体、１０８  実施例１におけるサンシェード、
１１１  実施例１における壁部材、１１４  実施例１における矢印、
１１５  実施例１における壁部材、１１６  実施例１における矢印、
１１８  実施例１におけるサンシェード、２０２  実施例２におけるハウジング筐体、
２０８  実施例２におけるサンシェード、２１１  実施例２における壁部材、
２１４  実施例２における矢印、３０２  実施例３におけるハウジング筐体、
３０８  実施例３におけるサンシェード、３１１  実施例３における壁部材、
３１４  実施例３における矢印
【図１】
2020122885.tif 000003
【図２】
2020122885.tif 000004
【図３】
2020122885.tif 000005
【図４】
2020122885.tif 000006
【図５】
2020122885.tif 000007
【図６】
2020122885.tif 000008
【図７】
2020122885.tif 000009
【図８】
2020122885.tif 000010